(57)【要約】【課題】同一ユーザについて複数のカード情報が入力されたときに、どのカード情報を画像処理装置に登録して良いか判断できない問題を解消し、ユーザの意向に添ったカード情報の画像処理装置への登録を行うことができるカード情報登録制御装置等を提供する。【解決手段】管理者等が同一のユーザの複数のカードについてのカード情報を入力すると、これらが受け付けられるとともに、これらの複数のカード情報を、複数のユーザのカード情報として画像処理装置２に一時的に登録させる。画像処理装置２から定期的に、ユーザによる該画像処理装置の使用履歴情報を取得し、取得された使用履歴情報に基づいて、前記複数のユーザのカード情報として一時的に登録された同一ユーザのカード情報のうち、最初に使用されたカードのカード情報を判別し、この判別されたカード情報を、前記同一のユーザのカード情報として画像処理装置２に正式に登録させる。【選択図】図５
2011113322.tif 000002
【特許請求の範囲】
【請求項１】
同一のユーザの複数のカードについてのカード情報を受け付けるカード情報受付手段と、
前記カード情報受付手段により受け付けられた同一ユーザの複数のカード情報を、複数のユーザのカード情報として、ユーザ１人に対して１個のカード情報しか登録できない画像処理装置に一時的に登録させる制御手段と、
前記画像処理装置から定期的に、ユーザによる該画像処理装置の使用履歴情報を取得する使用履歴情報取得手段と、
前記使用履歴情報取得手段により取得された使用履歴情報に基づいて、前記複数のユーザのカード情報として一時的に登録された同一ユーザのカード情報のうち、最初に使用されたカードのカード情報を判別する判別手段と、
を備え、
前記制御手段は、前記判別手段により判別されたカード情報を、前記同一のユーザのカード情報として画像処理装置に正式に登録させることを特徴とするカード情報登録制御装置。
【請求項２】
前記判別手段は前記使用履歴情報に基づいて、一時登録されたが正式登録されなかったカード情報を使用してユーザが既に画像処理装置を使用しているかどうかを判別し、既に使用していると判別された場合には、前記制御手段はその使用量を正式登録されるカード情報による使用量に加算するように、画像処理装置を制御する請求項１に記載のカード情報登録制御装置。
【請求項３】
ユーザに対する画像処理装置の使用量の上限値を設定する設定手段を備え、
該設定手段は、同一ユーザの複数のカード情報が複数のユーザのカード情報として一時的に登録される場合には、同一ユーザに対する使用量の上限値を、前記複数のユーザに均等に分割して設定する請求項１または２に記載のカード情報登録制御装置。
【請求項４】
同一のユーザの複数のカードについてのカード情報をカード情報受付手段により受け付けるステップと、
前記受け付けられた同一ユーザの複数のカード情報を、複数のユーザのカード情報として、ユーザ１人に対して１個のカード情報しか登録できない画像処理装置に制御手段により一時的に登録させる制御ステップと、
使用履歴情報取得手段により、前記画像処理装置から定期的に、ユーザによる該画像処理装置の使用履歴情報を取得するステップと、
前記取得された使用履歴情報に基づいて、判別手段により、前記複数のユーザのカード情報として一時的に登録された同一ユーザのカード情報のうち、最初に使用されたカードのカード情報を判別する判別ステップと、
を備え、
前記制御ステップでは、前記判別ステップにおいて判別されたカード情報を、前記同一のユーザのカード情報として画像処理装置に正式に登録させることを特徴とするカード情報登録制御方法。
【請求項５】
同一のユーザの複数のカードについてのカード情報をカード情報受付手段により受け付けるステップと、
前記受け付けられた同一ユーザの複数のカード情報を、複数のユーザのカード情報として、ユーザ１人に対して１個のカード情報しか登録できない画像処理装置に制御手段により一時的に登録させる制御ステップと、
使用履歴情報取得手段により、前記画像処理装置から定期的に、ユーザによる該画像処理装置の使用履歴情報を取得するステップと、
前記取得された使用履歴情報に基づいて、判別手段により、前記複数のユーザのカード情報として一時的に登録された同一ユーザのカード情報のうち、最初に使用されたカードのカード情報を判別する判別ステップと、
をカード情報登録装置のコンピュータに実行させ、
前記制御ステップでは、前記判別ステップにおいて判別されたカード情報を、前記同一のユーザのカード情報として画像処理装置に正式に登録させる処理を、カード情報登録制御装置のコンピュータに実行させることを特徴とするカード情報登録制御プログラム。
【発明の詳細な説明】
【技術分野】
【０００１】
この発明は、多機能デジタル画像形成装置等の画像処理装置に、ユーザが使用するカードの情報を通信を介して登録することができるカード情報登録制御装置、同装置で実行されるカード情報登録制御方法及び該方法をカード情報登録制御装置のコンピュータに実行させるためのカード情報登録制御プログラムに関する。
【背景技術】
【０００２】
多機能デジタル画像形成装置等の画像処理装置として、ユーザが所有するＩＣカード等に記録されたユーザ情報等のカード情報を登録しておき、使用時にはカードリーダーによりＩＣカード等からカード情報を読み込んで認証を行い、認証結果に応じて使用を許可する構成のものが知られている。
【０００３】
そして、このような画像処理装置では、カード情報の登録を画像処理装置とネットワークを介して接続されているパソコン等のカード情報登録制御装置から行うことができるようになっている。具体的には、カード情報登録制御装置にインストールされた専用のアプリケーションソフトを起動し、該ソフトにより表示装置に表示された入力画面から所定の情報を入力することにより行われる。
【０００４】
ところで、上記のような画像処理装置では、１人のユーザに対しては１つのカードの情報しか登録できないように構成されていたり、あるいは２つ以上のカードの情報を登録できる場合であっても、管理者等により１人のユーザに対しては１つのカードの情報しか登録できないように設定される場合がある。しかるに、前記アプリケーションによるカード情報登録制御装置の入力画面では、複数の画像処理装置への登録を一つの入力画面でまとめて行えるようにするため、同一ユーザに対して複数のカード情報の入力が可能となっている場合が多い。
【０００５】
なお、特許文献１には、メインユーザが画像処理装置にログインしたのち、続けて指紋（カード）が置かれた場合、そのユーザをゲストユーザとして扱い、一定期間ゲストユーザとしてその指紋（カード）で画像処理装置を使用できるようにした技術が知られている。
【先行技術文献】
【特許文献】
【０００６】
【特許文献１】特開２００８−５２５７８号公報
【発明の概要】
【発明が解決しようとする課題】
【０００７】
上記のように、カード情報登録制御装置の入力画面上で、同一ユーザに対して複数のカード情報の入力が可能となっている場合、同一ユーザが保有する複数種類のカードの情報が、１つの画像処理装置に対して入力画面上で入力されることが起こりうる。
【０００８】
しかしながら、この場合、１人のユーザに対しては１つのカードの情報しか登録できないように構成された画像処理装置や、２つ以上のカードの情報を登録できる場合であっても、管理者等により１人のユーザに対しては１つのカードの情報しか登録できないように設定されている画像処理装置に対しては、カード情報登録制御装置はいずれのカード情報を画像処理装置に登録して良いか判断できない。
【０００９】
もっとも、画像処理装置に登録可能なカードの種類が限定されている場合には、同一ユーザの複数のカード情報が入力されても、前記限定されている種類のカードのみを画像処理装置に登録することはできる。
【００１０】
しかし、種類の異なるカードの情報を登録可能な画像処理装置に対しては、登録可能な複数のカードの情報が１人のユーザについて入力された場合には、いずれのカード情報を画像処理装置に登録して良いか依然として判断できないという問題がある。
【００１１】
また、カードの種類に優先順位を設け、複数のカードの情報が入力された場合には、前記優先順位に従って優先順位の高いカードの情報を登録することも考えられるが、優先順位とユーザの希望とが必ずしも一致しないという問題がある。
【００１２】
このような問題に対して、前記特許文献１に記載の技術は有効な解決策を提供しうるものではなかった。
【００１３】
この発明は、上記実情に鑑みてなされたものであり、画像処理装置にユーザのカード情報を登録できるカード情報登録制御装置であって、同一ユーザについて複数のカード情報が入力された場合であっても、いずれのカード情報を画像処理装置に登録して良いか判断できないという問題を解消し、ユーザの意向に添ったカード情報の画像処理装置への登録を行うことができるカード情報登録制御装置、同装置で実行されるカード情報登録制御方法を提供し、さらには前記方法をカード情報登録制御装置のコンピュータに実行させるためのカード情報登録制御プログラムを提供することを課題とする。
【課題を解決するための手段】
【００１４】
上記課題は、以下の手段によって解決される。
（１）同一のユーザの複数のカードについてのカード情報を受け付けるカード情報受付手段と、前記カード情報受付手段により受け付けられた同一ユーザの複数のカード情報を、複数のユーザのカード情報として、ユーザ１人に対して１個のカード情報しか登録できない画像処理装置に一時的に登録させる制御手段と、前記画像処理装置から定期的に、ユーザによる該画像処理装置の使用履歴情報を取得する使用履歴情報取得手段と、前記使用履歴情報取得手段により取得された使用履歴情報に基づいて、前記複数のユーザのカード情報として一時的に登録された同一ユーザのカード情報のうち、最初に使用されたカードのカード情報を判別する判別手段と、を備え、前記制御手段は、前記判別手段により判別されたカード情報を、前記同一のユーザのカード情報として画像処理装置に正式に登録させることを特徴とするカード情報登録制御装置。
（２）前記判別手段は前記使用履歴情報に基づいて、一時登録されたが正式登録されなかったカード情報を使用してユーザが既に画像処理装置を使用しているかどうかを判別し、既に使用していると判別された場合には、前記制御手段はその使用量を正式登録されるカード情報による使用量に加算するように、画像処理装置を制御する前項１に記載のカード情報登録制御装置。
（３）ユーザに対する画像処理装置の使用量の上限値を設定する設定手段を備え、該設定手段は、同一ユーザの複数のカード情報が複数のユーザのカード情報として一時的に登録される場合には、同一ユーザに対する使用量の上限値を、前記複数のユーザに均等に分割して設定する前項１または２に記載のカード情報登録制御装置。
（４）同一のユーザの複数のカードについてのカード情報をカード情報受付手段により受け付けるステップと、前記受け付けられた同一ユーザの複数のカード情報を、複数のユーザのカード情報として、ユーザ１人に対して１個のカード情報しか登録できない画像処理装置に制御手段により一時的に登録させる制御ステップと、使用履歴情報取得手段により、前記画像処理装置から定期的に、ユーザによる該画像処理装置の使用履歴情報を取得するステップと、前記取得された使用履歴情報に基づいて、判別手段により、前記複数のユーザのカード情報として一時的に登録された同一ユーザのカード情報のうち、最初に使用されたカードのカード情報を判別する判別ステップと、を備え、前記制御ステップでは、前記判別ステップにおいて判別されたカード情報を、前記同一のユーザのカード情報として画像処理装置に正式に登録させることを特徴とするカード情報登録制御方法。
（５）同一のユーザの複数のカードについてのカード情報をカード情報受付手段により受け付けるステップと、前記受け付けられた同一ユーザの複数のカード情報を、複数のユーザのカード情報として、ユーザ１人に対して１個のカード情報しか登録できない画像処理装置に制御手段により一時的に登録させる制御ステップと、使用履歴情報取得手段により、前記画像処理装置から定期的に、ユーザによる該画像処理装置の使用履歴情報を取得するステップと、前記取得された使用履歴情報に基づいて、判別手段により、前記複数のユーザのカード情報として一時的に登録された同一ユーザのカード情報のうち、最初に使用されたカードのカード情報を判別する判別ステップと、をカード情報登録装置のコンピュータに実行させ、前記制御ステップでは、前記判別ステップにおいて判別されたカード情報を、前記同一のユーザのカード情報として画像処理装置に正式に登録させる処理を、カード情報登録制御装置のコンピュータに実行させることを特徴とするカード情報登録制御プログラム。
【発明の効果】
【００１５】
前項（１）に記載の発明によれば、管理者等が同一のユーザの複数のカードについてのカード情報を入力すると、これらが受け付けられるとともに、これらの複数のカード情報を、複数のユーザのカード情報として画像処理装置に一時的に登録させる。そして、前記画像処理装置から定期的に、ユーザによる該画像処理装置の使用履歴情報を取得し、取得された使用履歴情報に基づいて、前記複数のユーザのカード情報として一時的に登録された同一ユーザのカード情報のうち、最初に使用されたカードのカード情報を判別し、この判別されたカード情報を、前記同一のユーザのカード情報として画像処理装置に正式に登録させる。
【００１６】
つまり、１人のユーザについて複数のカードの情報が入力されても、それら複数のカード情報がそれぞれ異なる複数のユーザのものとして、画像処理装置に一時的に登録されるから、いずれのカード情報を画像処理装置に登録して良いか判断できないという問題を解消できる。しかも、複数のユーザのカード情報として一時的に登録された同一ユーザのカード情報のうち、一時登録後に最初に使用されたカードのカード情報が画像処理装置に正式に登録されるから、ユーザの使用意志のあるカード情報を登録することができ、ユーザの意向に添ったカード情報の画像処理装置への登録を行うことができる。
【００１７】
前項（２）に記載の発明によれば、一時登録されたが正式登録されなかったカード情報を使用してユーザが既に画像処理装置を使用している場合には、その使用量が正式登録されるカード情報による使用量に加算されるから、そのユーザの画像処理装置の使用量を適正値に修正できる。
【００１８】
前項（３）に記載の発明によれば、同一ユーザの複数のカード情報が複数のユーザのカード情報として登録される場合には、同一ユーザに対する使用量の上限値が、前記複数のユーザに均等に分割して設定されるから、ユーザがいずれかのカードを使用して画像処理装置を使用した場合に、使用量の設定値が小さすぎて使用できなくなるというような不都合を防止することができる。
【００１９】
前項（４）に記載の発明によれば、１人のユーザについて複数のカードの情報が入力されても、それら複数のカード情報がそれぞれ異なる複数のユーザのものとして、画像処理装置に一時的に登録されるから、いずれのカード情報を画像処理装置に登録して良いか判断できないという問題を解消できるうえ、複数のユーザのカード情報として一時的に登録された同一ユーザのカード情報のうち、一時登録後に最初に使用されたカード換言すればユーザの使用意志のあるカードの情報を登録することができ、ユーザの意向に添ったカード情報の画像処理装置への登録を行うことができる。
【００２０】
前項（５）に記載の発明によれば、管理者等が同一のユーザの複数のカードについてのカード情報が入力されると、これらを受け付けるとともに、これらの複数のカード情報を、複数のユーザのカード情報として画像処理装置に一時的に登録させ、前記画像処理装置から定期的に、ユーザによる該画像処理装置の使用履歴情報を取得し、取得された使用履歴情報に基づいて、前記複数のユーザのカード情報として一時的に登録された同一ユーザのカード情報のうち、最初に使用されたカードのカード情報を判別し、この判別されたカード情報を、前記同一のユーザのカード情報として画像処理装置に正式に登録させる処理を、カード情報登録制御装置のコンピュータに実行させることができる。
【図面の簡単な説明】
【００２１】
【図１】この発明の一実施形態に係るカード情報登録制御装置が用いられている画像処理システムの構成図である。
【図２】カード情報登録制御装置の構成を示すブロック図である。
【図３】画像処理装置の構成を示すブロック図である。
【図４】カード情報登録制御装置における表示装置に表示されたカード情報の入力画面の一例を示す図である。
【図５】カード情報登録制御装置の動作を示すフローチャートである。
【発明を実施するための形態】
【００２２】
次に、この発明の一実施形態を図面に基づいて説明する。
【００２３】
図１は、この発明の一実施形態に係るカード情報登録装置が用いられている画像処理システムの構成図である。
【００２４】
この画像処理システムは、カード情報登録制御装置１と該カード情報登録装置１とネットワーク３を介して接続された画像処理装置２を備えている。
【００２５】
前記カード情報登録制御装置１はパソコンからなり、図２に示すように、ＣＰＵ１１、ＲＯＭ１２、ＲＡＭ１３、記憶部１４，表示装置１５、入力装置１６、ネットワークインターフェース部（ネットワークＩ/F部）１７、カードリーダ１８等を備え、システムバス１９を介して互いに接続されている。
【００２６】
ＣＰＵ１１は、ＲＯＭ１２等に保存されているプログラムを実行することにより、カード情報登録装置１の全体を統括的に制御する。この実施形態では、記憶部１４等に記憶されたカード情報登録用のアプリケーションソフトウェアを起動して、表示装置１５にカード情報入力画面を表示させたり、表示されたカード情報入力画面を介して入力されたカード情報等を受け付けるとともに、画像処理装置２に送信して画像処理装置２に登録させたり、画像処理装置２から使用履歴情報等の各種の情報を取得したり、取得した使用履歴情報に基づいて、ユーザによる画像処理装置２の使用状態を判別する等の処理を行うが、詳しくは後述する。
【００２７】
ＲＯＭ１２は、ＣＰＵ１１が実行するためのプログラムやその他のデータを保存する記憶媒体である。
【００２８】
ＲＡＭ１３は、ＣＰＵ１１が動作用プログラムに従って動作する際の作業領域を提供する記憶媒体である。
【００２９】
記憶部１４は例えばハードディスク装置からなり、各種のデータやアプリケーションソフトウェア等を記憶する。
【００３０】
表示装置１５は、ＣＲＴや液晶表示装置等からなり、各種のメッセージや入力受付画面等を表示したり、ユーザの作成文書等を表示したりする。
【００３１】
入力装置１６は、ユーザによる入力操作に用いられるものであり、キーボードやマウス等からなる。
【００３２】
ネットワークインターフェース部１７は、画像処理装置２や他の外部機器との間で、ネットワークを介して、データの送受信を行う通信手段として機能する。
【００３３】
カードリーダ１８は、ＩＣカード等に書き込まれているユーザに関するカード情報を画像処理装置２に登録する際に、カードからカード情報を読み取るものである。なお、カード情報のカード情報登録制御装置１に対する入力は、カードリーダ１８による読取に限定されることはなく、手動等で入力しても良い。
【００３４】
図３は、画像処理装置２の構成を示すブロック図である。この画像処理装置２として、この実施形態では、コピー機能、プリンタ機能、ファクシミリ機能、スキャン機能等の機能を有する多機能デジタル画像形成装置であるＭＦＰ（Multi Function Peripherals）が用いられている。
【００３５】
この画像処理装置２は制御部２１と、ユーザ情報管理部２２と、ログ管理部２３と、スキャナ部２４と、記憶部２５と、プリンタ部２６と、操作パネル２７と、ネットワークコントローラ（Ｎ１Ｃ）２８とカードリーダ２９等を備えている。
【００３６】
前記制御部２１は、図示しないＣＰＵやＲＡＭ等を備え、画像処理装置２の全体を統括制御する。具体的には、コピー、プリント、ファクシミリ、スキャン等の通常の画像形成装置としての動作を制御するほか、この実施形態では特に、ユーザ情報管理部２２にユーザ名、パスワード、電子メールアドレス、カード情報等を、カード情報登録制御装置１の指示に基づいて登録したり、ユーザの使用履歴情報（ジョブログ）をログ管理部２３に格納したり、カード情報登録制御装置１の要求に応じて、ログ管理部２３に格納した使用履歴情報をカード情報登録制御装置１に送信する等の動作を行う。また、ユーザがＩＣカード等を使用してログインするときに、カードリーダ２９で読み取ったカード情報と、ユーザ情報管理部２２に登録されているカード情報と比較して、ユーザを認証する動作も実行する。
【００３７】
この実施形態では、前記画像処理装置２は複数種類のカードの情報を登録すること可能であるが、ユーザに対しては１つのカードの情報しか登録できないように構成されている。なお、２つ以上のカードの情報を登録できる場合であっても、管理者等により１人のユーザに対しては１つのカードの情報しか登録できないように設定される場合も含む。
【００３８】
前記ユーザ情報管理部２２は、ユーザ名、パスワード、電子メールアドレス、カード情報等のユーザに関する情報を管理するものである。この実施形態では、ユーザにコピー枚数やプリント枚数の使用量の上限値が設定されている場合は、この上限値を併せて管理する。
【００３９】
前記ログ管理部２３は、ユーザが画像処理装置２を使用するたびに、使用履歴をログ情報として保存し管理するものである。
【００４０】
前記スキャナ部２４は、原稿台（図示せず）に置かれた原稿の画像を読み取り、画像データに変換する読み取り手段である。
【００４１】
前記記憶部２５は、例えばハードディスクドライブ（ＨＤＤ）などの不揮発性の記憶デバイスにより構成されている。この記憶部２５には、スキャナ部２４で読み取られた原稿の画像データからなるファイル、ファクシミリ受信ファイル等、各種のファイル、アプリケーションソフトウェアその他のデータが記憶される。
【００４２】
前記プリンタ部２６は、前記スキャナ部２４で読み取られた原稿の画像データや外部の端末装置等から送られてきたプリントデータ等を、指定されたモードに従って印刷するものである。
【００４３】
前記操作パネル２７は、各種入力操作等のために使用されるものであり、液晶等からなる表示部２７１と、テンキー、スタートキー、ストップキー等のハードキーを有するキー入力部２７２とを備えている。
【００４４】
前記ネットワークコントローラ２８は、ネットワーク接続された前記カード情報登録制御装置１や他の外部機器との間での通信を制御するものである。
【００４５】
前記カードリーダ２９は、ユーザがＩＣカード等を使用して画像処理装置２を使用する場合に、該カードに書き込まれているカード情報を読み取るものである。
【００４６】
図４は、前記カード情報登録制御装置１の表示装置１５の画面１５１に表示されたカード情報登録を行うための編集画面を示すものである。この画面は、ＣＰＵ１１がＲＯＭ１２や記憶部１４等の記録媒体に記録された専用のアプリケーションソフトウェアに基づいて表示するものである。
【００４７】
この画面では、ユーザ名、パスワード、電子メールアドレス、部門等の情報入力欄が表示されると共に、複数の画像処理装置で使用可能なカードの種類が、カードタイプタブ１５２、１５３により表示されている。この例では、ＨＩＤ ｉＣＬＡＳＳカードやＴｙｐｅＡカード等のＩＣカードが登録可能となっている。
【００４８】
また、機能制限タブ１５７やカウンターの上限値タブ１５４が設けられ、各タブをクリックすることで、機能制限設定画面あるいはカウンター上限値設定画面が表示され、登録対象のユーザに対する画像処理装置の機能制限や、画像処理装置２のコピー枚数などの使用量を規定するカウンター上限値の設定が可能となされている。
【００４９】
そして、管理者等が登録対象のユーザのユーザ名、パスワード、電子メールアドレス、部門等の情報を入力した後、読取開始キー１５５を押し、カードリーダ１８にＩＣカードを読み取らせると、カードに記録されているカード情報が読み取られる。ユーザが複数のカードタイプタブ１５２、１５３に表示されている複数種類のカードについてカード情報を読み取らせた後、「このデータが登録されていない装置に追加する」と記載された登録用チェックボックス１５６にチェックを入れて、ＯＫボタン１５８を押すと、カード情報登録制御装置１に接続されている画像処理装置２のうち、読み込まれたカード情報がまだ登録されていない画像処理装置２に登録される。
【００５０】
この際に、読み込まれたカードはいずれの種類も登録できるが、１人のユーザについては１つのカード情報しか登録できない画像処理装置２については、複数のカード情報のうちのいずれを登録して良いかが問題となる。
【００５１】
そこで、この実施形態では、カード情報登録制御装置１は図５のフローチャートで示す動作を行う。この動作は、カード情報登録制御装置１のＣＰＵ１１がＲＯＭ１２、記憶部１４等の記録媒体に記録された動作プログラムに従って動作することにより実行される。
【００５２】
ステップＳ０１では、表示装置１５に表示された編集画面１５１で、１人のユーザに対して複数のカード情報の入力を受け付けたのち、ステップＳ０２で、登録対象の画像処理装置２の中に、１人のユーザに対して、入力された複数分のカード情報を登録できない画像処理装置があるかどうかを判断する。
【００５３】
なければ（ステップＳ０２でＮＯ）、ステップＳ０４で、カード情報を含むユーザ情報をそのまま画像処理装置２に書き込んで登録させる。入力された複数分のカード情報を登録できない画像処理装置２があれば（ステップＳ０２でＹＥＳ）、ステップＳ０３で、該当するユーザを、読み取ったカード情報の数に対応する複数のユーザ、例えば「Ｙａｍａｄａ（ＦｅｌｉＣａ）」「Ｙａｍａｄａ（ＨＩＤ）」に分割する。
【００５４】
次いで、ステップＳ０５で、編集画面１５１でユーザの使用量の上限値の設定が行われたかどうかを判断する。行われていれば（ステップＳ０５でＹＥＳ）、ステップＳ０６で、設定された上限値をステップＳ０３で分割した複数のユーザ分に分割したのち、ステップＳ０７に進む。ユーザの使用量の上限値の設定が行われていなければ（ステップＳ０５でＮＯ）、そのままステップＳ０７に進む。
【００５５】
このように、同一ユーザの複数のカード情報が複数のユーザのカード情報として登録される場合には、同一ユーザに対する使用量の上限値が、前記複数のユーザに均等に分割して設定されるから、ユーザがいずれかのカードを使用して画像処理装置２を使用した場合に、使用量の設定値が小さすぎて使用できなくなるというような不都合を防止することができる。
【００５６】
ステップＳ０７では、分割した複数のユーザのカード情報を含むユーザ情報を画像処理装置２に書き込んで登録させる。つまり、同一の（１人の）ユーザであるが複数のユーザの情報として一時登録させる。また、複数に分割したユーザについての情報を記憶しておく。
【００５７】
次にステップＳ０８で、画像処理装置２の使用履歴情報（ジョブログ）を定期的に取得したのち、ステップＳ０９で、分割登録されたユーザのジョブログが検出されたかどうかを判断する。検出されなければ（ステップＳ０９でＮＯ）、ステップＳ０８に戻る。分割登録されたユーザのジョブログが検出された場合には（ステップＳ０９でＹＥＳ）、ステップＳ１０で、そのユーザが画像処理装置２に最初にログインしたときに使用したＩＣカードのタイプを判定する。換言すれば、一時登録されたユーザのどちらでログインしたかを判定し、ログインしたユーザ以外のユーザの情報を画像処理装置２に削除させる。つまり、最初にログインしたユーザの情報を画像処理装置２に正式登録させる。
【００５８】
この際、使用量の上限値が分割されている場合には、削除されたユーザに対する上限値を正式登録したユーザの上限値に加算するように、画像処理装置２を制御する。さらに、削除されたカード情報を使用してユーザが既に画像処理装置２を使用しているかどうかを判別し、既に使用している場合には、その使用量を正式登録したユーザの使用量に加算するように、画像処理装置２を制御する。
【００５９】
このように、この実施形態では、１人のユーザについて複数のカードの情報が入力されても、それら複数のカード情報がそれぞれ異なる複数のユーザのものとして、画像処理装置２に一時的に登録されるから、いずれのカード情報を画像処理装置２に登録して良いかをカード情報登録制御装置１が判断できないという問題を解消できる。しかも、複数のユーザのカード情報として一時的に登録された同一ユーザのカード情報のうち、一時登録後に最初に使用されたカードのカード情報が画像処理装置２に正式に登録されるから、ユーザの使用意志のあるカード情報を登録することができ、ユーザの意向に添ったカード情報の画像処理装置２への登録を行うことができる。
【００６０】
また、一時登録されたが正式登録されなかったカード情報を使用してユーザが既に画像処理装置２を使用している場合には、その使用量が正式登録されるカード情報による使用量に加算されるから、そのユーザの画像処理装置２の使用量を適正値に修正できる。
【符号の説明】
【００６１】
１      カード情報登録制御装置
１１    ＣＰＵ
１２    ＲＯＭ
１４    記憶部
１５    表示装置
１５１  編集画面
１６    入力装置
１７    カードリーダ
２      画像処理装置
【図１】
2011113322.tif 000003
【図２】
2011113322.tif 000004
【図３】
2011113322.tif 000005
【図４】
2011113322.tif 000006
【図５】
2011113322.tif 000007